(57)【要約】      （修正有）【課題】貨幣収容部に収容された収容された貨幣の回収を行わない場合でも収容貨幣の総額を確認することの可能な電子マネー入金機を提供する。【解決手段】貨幣収容部１６２の貨幣回収用の内扉と、内扉の開放を検知する開放検知部１７０と、貨幣が投入されると貨幣収容部１６２に収容された貨幣の総額を計数する制御部２１０と、開放検知部１７０によって内扉の開放が検知されると制御部２１０によって計数された貨幣の総額情報１４０ａを印刷して出力する印刷部１９０とを備えたので、内扉の開放によって貨幣の総額情報１４０ａが出力されることから、貨幣収容部１６２に収容された貨幣の回収を行わない場合でも収容貨幣の総額を確認することができる。従って、例えば収容貨幣が少額の場合には貨幣の回収を省くことができ、回収作業の効率を向上させることができる。【選択図】図１
2007226408.tif 000002
【特許請求の範囲】
【請求項１】
投入された貨幣を収容する貨幣収容部を備え、貨幣が投入されると、電子マネーサービスで用いられる電子マネーの残高が記憶されたＩＣチップに対して投入貨幣の金額を電子マネーの残高に加算するための入金情報を送信するとともに、投入貨幣を貨幣収容部に収容するようにした電子マネー入金機において、
前記貨幣収容部の貨幣回収用の扉と、
扉の開放を検知する開放検知手段と、
貨幣が投入されたときに貨幣収容部に収容された貨幣の総額を計数する計数手段と、
開放検知手段によって扉の開放が検知されると、計数手段によって計数された貨幣の総額を外部に出力する出力手段とを備えた
ことを特徴とする電子マネー入金機。
【請求項２】
前記出力手段を、所定の管理サーバに貨幣の総額を送信した後に貨幣の総額を出力するように構成した
ことを特徴とする請求項１記載の電子マネー入金機。
【請求項３】
前記出力手段を、貨幣の総額を印刷するように構成した
ことを特徴とする請求項１または２記載の電子マネー入金機。
【請求項４】
前記貨幣収容部に収容された貨幣の有無を検知する貨幣検知手段を備え、
貨幣収容部に貨幣が収容されていないことが貨幣検知手段によって検知されると、計数手段によって計数された貨幣の総額を消去するように構成した
ことを特徴とする請求項１、２または３記載の電子マネー入金機。
【請求項５】
前記開放検知手段によって扉の開放が検知されると、計数手段によって計数された貨幣の総額を消去するように構成した
ことを特徴とする請求項１、２または３記載の電子マネー入金機。
【発明の詳細な説明】
【技術分野】
【０００１】
本発明は、例えば電子乗車券や電子決済等に用いられる電子マネーサービスにおいて、電子マネーの残高が記憶されたＩＣチップに対して投入貨幣の金額を電子マネー残高に加算する電子マネー入金機に関するものである。
【背景技術】
【０００２】
従来、この種の電子マネー入金機として、投入された貨幣を収容する貨幣収容部を備え、貨幣が投入されると、電子マネーサービスで用いられる電子マネーの残高が記憶されたＩＣチップに対して投入貨幣の金額を電子マネーの残高に加算するための入金情報を送信するとともに、投入貨幣を貨幣収容部に収容するようにしたものが知られている（例えば特許文献１参照）。
【０００３】
この電子マネー入金機では、貨幣収容部の貨幣回収用の扉を開放したときに所定の集計処理を行い、貨幣回収者に貨幣の回収を行わせるようになっている。
【特許文献１】特開２００５−２８４３６０号公報
【発明の開示】
【発明が解決しようとする課題】
【０００４】
しかしながら、前記従来例では、貨幣の回収を行わなければ貨幣収容部に収容された貨幣の総額を確認することができないので、貨幣収容部に収容された貨幣が少額の場合でも貨幣を回収しなければならず、貨幣の回収作業が繁雑となって作業効率を低下させるという問題点があった。
【０００５】
本発明は前記問題点に鑑みてなされたものであり、その目的とするところは、貨幣収容部に収容された貨幣の回収を行わない場合でも収容貨幣の総額を確認することの可能な電子マネー入金機を提供することにある。
【課題を解決するための手段】
【０００６】
本発明は、前記目的を達成するために、投入された貨幣を収容する貨幣収容部を備え、貨幣が投入されると、電子マネーサービスで用いられる電子マネーの残高が記憶されたＩＣチップに対して投入貨幣の金額を電子マネーの残高に加算するための入金情報を送信するとともに、投入貨幣を貨幣収容部に収容するようにした電子マネー入金機において、前記貨幣収容部の貨幣回収用の扉と、扉の開放を検知する開放検知手段と、貨幣が投入されたときに貨幣収容部に収容された貨幣の総額を計数する計数手段と、開放検知手段によって扉の開放が検知されると、計数手段によって計数された貨幣の総額を外部に出力する出力手段とを備えている。
【０００７】
これにより、扉の開放によって貨幣収容部に収容された貨幣の総額が出力されることから、貨幣収容部に収容された収容貨幣の回収を行わない場合でも収容貨幣の総額を確認することができる。
【発明の効果】
【０００８】
本発明によれば、貨幣収容部に収容された収容された貨幣の回収を行わない場合でも収容貨幣の総額を確認することができるので、例えば収容貨幣が少額の場合には貨幣の回収作業を省くことができ、回収作業の効率を向上させることができる。
【発明を実施するための最良の形態】
【０００９】
図１乃至図８は本発明の一実施形態を示すもので、図１は電子マネー入金機の機能構成図、図２はＩＣカードのメモリ空間を示す図、図３は電子マネー入金機の斜視図、図４は外扉を開放した電子マネー入金機の斜視図、図５は内扉を開放した電子マネー入金機の斜視図、図６は入金履歴のデータ構造の一例を示す図、図７は電子マネーの入金処理を示すフロー図、図８は貨幣総額の確認処理を示すフロー図である。
【００１０】
この電子マネー入金機は、図１に示すように、ＩＣチップが埋設されたＩＣカード１０に対して投入貨幣の金額を加算する装置であり、公衆回線網等のネットワーク３００を介して、電子マネーの管理を行う電子マネー管理サーバ４００と通信可能となっている。
【００１１】
ＩＣカード１０には、後述する電子マネー入金機のリーダライタ１３０との間で非接触で信号を送受信するコイル状のアンテナ（図示省略）と、アンテナに接続されたＩＣチップとが埋設されている。このＩＣチップのメモリ空間には、図２に示すように、電子マネーサービス用の記憶領域１１が区画されており、この記憶領域１１には、サービスの利用者を識別するための利用者ＩＤ１１ａと電子マネー残額１１ｂとが記憶されている。また、ＩＣカード１０は、リーダライタ１３０から受信した信号に応じて利用者ＩＤ１１ａ及び電子マネー残高１１ｂのリーダライタ１３０への送信または電子マネー残高１１ｂの更新を行う。
【００１２】
電子マネー入金機は、前面が開口した入金機本体１００と、入金機本体１００の前面開口部を開閉する外扉１１０とを備えている。外扉１１０の前面には、図３に示すように前方に開口したカード載置部１１１と、電子マネーの入金額を入力するための入金額指定ボタン１１２と、貨幣を投入するための貨幣投入口１１３と、外扉１１０を施錠するシリンダー錠１１４と、後述する表示部１５０とが設けられている。また、入金機本体１００の内部には、図４及び図５に示すように前面が開口した内部収容室１１５と、内部収容室１１５の前面開口部を開閉する内扉１２０と、後述する印刷部１９０とが設けられており、内扉１２０には、内扉１２０を施錠するシリンダー錠１２１が設けられている。なお、本実施形態では、内扉１２０を貨幣回収用の扉として用いている。
【００１３】
また、電子マネー入金機は、ＩＣカード１０に対してデータの読み書きを行うリーダライタ１３０と、各種情報を記憶する記憶部１４０と、各種情報を表示する表示部１５０と、投入された貨幣の正当性及び金額を識別する貨幣識別装置１６０と、内扉１２１の開放を検知する開放検知部１７０と、貨幣識別装置１６０に収容された貨幣の有無を検知する貨幣検知部１８０と、各種情報を印刷する印刷部１９０と、ネットワーク３００と接続するための通信装置２００と、上記の各機器の制御を行う制御部２１０とを入金機本体１００に備えている。
【００１４】
入金額指定ボタン１１２は複数のボタンで構成されており、各ボタンには「１０００円」や「３０００円」等のようにそれぞれ異なった金額が割り当てられている。入金額指定ボタン１１２の任意のボタンが押下されると、このボタンに応じた金額が入金額として入力される。
【００１５】
リーダライタ１３０は、カード載置部１１１の下部に設けられており、カード載置部１１１に載置されたＩＣカード１０との間でデータの送受信を行う。また、リーダライタ１３０には、ＩＣカード１０との間で非接触で通信を行うためのアンテナが設けられている。
【００１６】
記憶部１４０はＥＥＰＲＯＭ等の書き換え可能な記憶素子であり、後述の貨幣識別装置１６０に収容された貨幣の総額情報１４０ａと、図６に示すように電子マネーの入金処理を行ったＩＣカード１０の利用者ＩＤ１１ａ、入金額及び取引日付等からなる入金履歴１４０ｂとが記憶される。また、表示部１５０は液晶ディスプレイであり、ＩＣカード１０の電子マネー残高１１ｂや投入金額等を表示する。
【００１７】
貨幣識別装置１６０は内部収容室１１５に設けられており、貨幣投入口１１３に投入された貨幣の正当性及び金額の識別処理を行う貨幣識別部１６１と、貨幣識別部１６１によって識別された貨幣を収容する貨幣収容部１６２とから構成されている。貨幣識別部１６１は、投入貨幣の正当性を識別した場合に投入貨幣を貨幣収容部１６２に収容するとともに投入貨幣の金額情報を制御部２１０に送信する。また、貨幣識別部１６１は、偽造貨幣の投入等により投入貨幣の正当性を識別できない場合に所定の異常検知信号を制御部２１０に送信する。
【００１８】
開放検知部１７０はスイッチであり、内扉１２０のシリンダー錠１２１に設けられている。開放検知部１７０は、シリンダー錠１２１が解錠されると押下されるように設けられており、押下されたときに所定の開放検知信号を制御部２１０に送信する。
【００１９】
貨幣検知部１８０は光センサであり、貨幣識別装置１６０の貨幣収容部１６２に設けられている。貨幣検知部１８０は、貨幣収容部１６２内を通過する光を検知するとともに、検知した光量に応じた検知信号を制御部２１０に送信する。
【００２０】
印刷部１９０は、貨幣の総額情報１４０ａを外部に出力する出力手段としてのプリンタであり、その前面には排出口１９１が設けられている。印刷部１９０は、記憶部１４０に記憶された総額情報１４０ａを所定の用紙に印刷した後に、この用紙を排出口１９１から排出する。
【００２１】
通信装置２００は、ネットワーク３００に接続するためのモデム等の通信機器である。なお、本実施形態では、ネットワーク３００として公衆回線網を用いており、これに対応してモデムを通信装置２００として用いている。
【００２２】
制御部２１０は、ＲＯＭ、ＲＡＭ及びＣＰＵ等を備え、投入貨幣の金額を電子マネー残高１１ｂに加算するための入金情報としてのＩＣカード用コマンドをＩＣカード１０に送信して電子マネーの入金処理を行うとともに、貨幣識別装置１６０の貨幣収容部１６２に収容された貨幣の総額を確認する処理等を行う。なお、これらの処理の具体的な内容については後に詳説する。また、制御部２１０は、本願請求項でいう計数手段を構成している。
【００２３】
次に、電子マネーの入金処理に係る動作について図７のフロー図を参照して説明する。まず、制御部２１０は、入金額指定ボタン１１２を用いて入金額が入力されると（ステップS１）、ＩＣカード１０をカード載置部１１１に載置するように案内するメッセージを表示部１５０に表示させる。この場合、制御部２１０は、リーダライタ１３０を介してＩＣカード１０から応答信号を受信するまで、リーダライタ１３０に所定の応答要求信号を送信させる。なお、本実施形態では、ＩＣカード１０固有のカードＩＤ（図示省略）を応答信号として用いている。
【００２４】
次いで、ＩＣカード１０がカード載置部１１１に載置されると（ステップＳ２）、制御部２１０は、ＩＣカード１０から応答信号を受信した後に、指定された入金額の投入を要求するメッセージを表示部１５０に表示させる。この場合、制御部２１０は、利用者ＩＤ１１ａ及び電子マネー残高１１ｂの送信を要求するＩＣカード用コマンドをＩＣカード１０に送信するとともに、ＩＣカード１０から受信した利用者ＩＤ１１ａ及び電子マネー残高１１ｂを表示部１５０の表示させる。そして、貨幣識別部１６１は、貨幣投入口１１３に貨幣が投入されると（ステップＳ３）、投入貨幣の正当性及び金額の識別処理を行う（ステップＳ４）。次に、貨幣識別部１６１は、投入貨幣の正当性を識別した場合に、投入貨幣を貨幣収容部１６２に収容する（ステップＳ５）とともに、投入貨幣の金額情報を制御部２１０に送信する。
【００２５】
制御部２１０は、貨幣識別部１６１から金額情報を受信すると、金額情報を初期値０の投入金額に加算することにより、投入貨幣の金額を計数する（ステップＳ６）。そして、制御部２１０は、投入金額がステップＳ１において入力された入金額以上になるまで、ステップＳ３以降の処理を繰り返させ（ステップＳ７）、投入金額が入金額以上となった場合に電子マネーの入金を行う（ステップＳ８）。ここで電子マネーの入金について具体的に説明すると、制御部２１０は、電子マネー残高１１ｂに入金額を加算するためのＩＣカード用コマンドを生成するとともに、このＩＣカード用コマンドをリーダライタ１３０を介してＩＣカード１０に送信する。なお、このＩＣカードコマンドには入金額が含まれている。一方、ＩＣカード１０は、リーダライタ１３０から前記ＩＣカード用コマンドを受信すると、このＩＣカード用コマンドに含まれた入金額を電子マネー残高１１ｂに加算する。このようにして、ＩＣカード１０に電子マネーが入金される。
【００２６】
次に、制御部２１０は、入金額を記憶部１４０の総額情報１４０ａに加算することにより、貨幣識別装置１６０に収容された貨幣の総額を計数する（ステップＳ９）。この場合、制御部２１０は、貨幣識別装置１６０に投入金額と入金額との差額に応じた貨幣を貨幣投入口１１３から排出させるとともに、投入金額の値を０に設定する。そして、制御部２１０は、ＩＣカード１０から受信した利用者ＩＤ１１ａ、入金額及び取引日付等を記憶部１４０の入金履歴１４０ｂに記憶する（ステップＳ１０）。
【００２７】
なお、前記ステップＳ４において、貨幣識別部１６１は、偽造貨幣の投入等により投入貨幣の正当性を識別できない場合に所定の異常検知信号を制御部２１０に送信するとともに、投入貨幣を貨幣投入口１１３から排出する（ステップＳ１１）。そして、制御部２１０は、貨幣識別部１６１から異常検知信号を受信すると、所定の異常検知情報を通信装置２００及びネットワーク３００を介して電子マネー管理サーバ４００に送信する（ステップＳ１２）。
【００２８】
また、上記のフローでは説明を省略したが、制御部２１０は、任意時に記憶部１４０の入金履歴１４０ｂを電子マネー管理サーバ４００に送信する。
【００２９】
次に、貨幣総額の確認処理に係る動作について図８のシーケンス図を参照して説明する。まず、外扉１１０がシリンダー錠１１４の解錠により開放された状態において、内扉１２０が開放された場合（ステップＳ２１）、即ちシリンダー錠１２１が解錠されたことによって開放検知部１７０が押下された場合には、制御部２１０は、開放検知部１７０から開放検知信号を受信した後に、記憶部１４０の総額情報１４０ａを電子マネー管理サーバ４００に送信する（ステップＳ２２）。そして、制御部２１０は印刷部１９０に総額情報１４０ａを印刷させる（ステップＳ２３）。この場合、印刷部１９０は、総額情報１４０ａを所定の用紙に印刷した後に、この用紙を排出口１９１から排出する。
【００３０】
次いで、制御部２１０は、貨幣検知部１８０から受信した検知信号に基づいて貨幣収容部１６２に貨幣が収容されていない、即ち貨幣が回収されたことを判別すると（ステップＳ２４）、記憶部１４０の総額情報１４０ａを消去するとともに、総額情報１４０ａに初期値を設定する（ステップＳ２５）。ここで、制御部２１０は、貨幣収容部１６２に貨幣が収容されていない場合における貨幣検知器１８０の検知信号を予め記憶しており、この検知信号と貨幣検知部１８０から受信した検知信号とを比較することによって貨幣の有無を判別する。
【００３１】
このように、本実施形態の電子マネー入金機によれば、貨幣収容部１６２の貨幣回収用の内扉１２０と、内扉１２０の開放を検知する開放検知部１７０と、貨幣が投入されると貨幣収容部１６２に収容された貨幣の総額を計数する制御部２１０と、開放検知部１７０によって内扉１２０の開放が検知されると制御部２１０によって計数された貨幣の総額情報１４０ａを印刷して出力する印刷部１９０とを備えたので、内扉１２０の開放によって貨幣の総額情報１４０ａが出力されることから、貨幣収容部１６２に収容された貨幣の回収を行わない場合でも収容貨幣の総額を確認することができる。従って、例えば収容貨幣が少額の場合には貨幣の回収を省くことができ、回収作業の効率を向上させることができる。
【００３２】
また、制御部２１０を、電子マネー管理サーバ４００に貨幣の総額情報１４０ａを送信した後に、印刷部１９０に貨幣の総額情報１４０ａを印刷して出力させるように構成したので、例えば貨幣の総額情報１４０ａが印刷された用紙を紛失した場合でも、貨幣の総額情報１４０ａを確実に管理することができる。
【００３３】
さらに、印刷部１９０を、貨幣の総額情報１４０ａを印刷するように構成したので、電子マネー入金機の設置場所において貨幣の総額を確認することができ、貨幣の回収の要否を容易に判別することができる。
【００３４】
また、貨幣収容部１６２に収容された貨幣の有無を検知する貨幣検知部１８０を備え、貨幣収容部１６２に貨幣が収容されていないことが貨幣検知部１８０によって検知されると、制御部２１０によって計数された貨幣の総額情報１４０ａを消去するように構成したので、貨幣を回収したときに総額情報１４０ａをクリアさせることができ、貨幣回収時における作業工程を削減することができる。
【００３５】
なお、上記実施形態では、制御部２１０を、貨幣が回収されたことが貨幣検知部１８０によって検知されたときに記憶部１４０の総額情報１４０ａを消去するように構成しているが、開放検知部１７０によって内扉１２０の開放が検知されると、記憶部１４０の総額情報１４０ａを消去するように構成してもよい。これにより、内扉１２０を開放するだけで総額情報１４０ａをクリアさせることができ、貨幣回収時における作業工程を削減することができる。
【００３６】
また、制御部２１０を、開放検知部１７０によって内扉１２０の開放が検知されると、総額情報１４０ａを電子マネー管理サーバ４００に送信し、印刷部１９０に総額情報１４０ａを印刷させた後に総額情報１４０ａを消去するように構成してもよい。
【００３７】
さらに、制御部２１０を、開放検知部１７０によって内扉１２０の開放が検知されると、総額情報１４０ａを電子マネー管理サーバ４００に送信した後に総額情報１４０ａを消去するように構成してもよい。
【００３８】
なお、上記実施形態では、貨幣の総額情報１４０ａを印刷部１９０を用いて出力するように説明したが、内扉１２０を開放可能な利用者の携帯端末に対して赤外線等の無線通信方式を用いて総額情報１４０ａを送信するように構成してもよい。また、貨幣の総額情報１４０ａを表示部１５０に表示させるように構成してもよい。
【００３９】
また、上記実施形態では、制御部２１０が入金情報としてのＩＣカード用コマンドを生成するとともにＩＣカード１０に送信するように説明したが、電子マネー管理サーバが前記ＩＣカード用コマンドを生成するとともに、制御部が電子マネー管理サーバから取得したＩＣカード用コマンドをＩＣカードに送信するように構成してもよい。
【図面の簡単な説明】
【００４０】
【図１】本発明の一実施形態に係る電子マネー入金機の機能構成図
【図２】ＩＣカードのメモリ空間を示す図
【図３】電子マネー入金機の斜視図
【図４】外扉を開放した電子マネー入金機の斜視図
【図５】内扉を開放した電子マネー入金機の斜視図
【図６】入金履歴のデータ構造の一例を示す図
【図７】電子マネーの入金処理を示すフロー図
【図８】貨幣総額の確認処理を示すフロー図
【符号の説明】
【００４１】
１０…ＩＣカード、１１ｂ…電子マネー残高、１２０…内扉、１４０ａ…総額情報、１６２…貨幣収容部、１７０…開放検知部、１８０…貨幣検知部、１９０…印刷部、２１０…制御部、４００…電子マネー管理サーバ。
【図１】
2007226408.tif 000003
【図２】
2007226408.tif 000004
【図３】
2007226408.tif 000005
【図４】
2007226408.tif 000006
【図５】
2007226408.tif 000007
【図６】
2007226408.tif 000008
【図７】
2007226408.tif 000009
【図８】
2007226408.tif 000010